(57)【特許請求の範囲】
【請求項１】
画像の読み取りまたは画像データの出力を実行する実行手段と、
電源オフの指示を検知する検知手段と、
ユーザを特定する特定手段と、
前記実行手段により実行している実行中ジョブ以外の他のジョブがないときに、電源オフを指示したユーザが実行中ジョブのユーザであると前記特定手段が特定した場合に電源オフの条件を満たすと判断する判断手段と、
前記判断手段が電源オフの条件を満たすと判断した場合に、前記実行手段に対する電源供給を遮断する電源オフ処理を行い、電源オフの条件を満たさないと判断した場合に、電源オフ処理を行わない、制御手段と
を備える画像処理装置。
【請求項２】
請求項１に記載の画像処理装置において、
前記判断手段は、実行中ジョブと異なるユーザの、前記実行手段によりまだ実行していない後続ジョブがあるときは、電源オフの条件を満たさないと判断する、ことを特徴とする画像処理装置。
【請求項３】
画像の読み取りまたは画像データの出力を実行する実行手段と、
電源オフの指示を検知する検知手段と、
ユーザを特定する特定手段と、
電源オフを指示したユーザが特定ユーザであると前記特定手段が特定した場合は、電源オフの条件を満たすと判断し、特定ユーザでないと判断した場合は、前記実行手段により実行している実行中ジョブ以外の他のジョブがないときに、電源オフを指示したユーザが実行中ジョブのユーザであると前記特定手段が特定した場合に電源オフの条件を満たすと判断する判断手段と、
前記判断手段が電源オフの条件を満たすと判断した場合に、前記実行手段に対する電源供給を遮断する電源オフ処理を行い、電源オフの条件を満たさないと判断した場合に、電源オフ処理を行わない、制御手段と
を備える画像処理装置。
【請求項４】
請求項３に記載の画像処理装置において、
前記判断手段は、電源オフを指示したユーザが特定ユーザでないと前記特定手段が特定した場合に、実行中ジョブと異なるユーザの、前記実行手段によりまだ実行していない後続ジョブがあるときは、電源オフの条件を満たさないと判断する、ことを特徴とする画像処理装置。
【請求項５】
請求項１から４のいずれかに記載の画像処理装置において、
ジョブのデータを記憶する不揮発性の記憶手段を備え、
前記制御手段は、ジョブのデータを、前記記憶手段に記憶してから電源オフ処理を行う、ことを特徴とする画像処理装置。
【請求項６】
請求項１から５のいずれかに記載の画像処理装置において、
前記判断手段は、前記検知手段が電源オフの指示を検知した際に実行中ジョブがない場合は、電源オフの条件を満たすと判断する、ことを特徴とする画像処理装置。
【請求項７】
請求項１から６のいずれかに記載の画像処理装置において、
前記判断手段は、前記検知手段が電源オフの指示を検知した時間が所定の時間帯でない場合は、電源オフの条件を満たすと判断する、ことを特徴とする画像処理装置。
【発明の詳細な説明】
【技術分野】
【０００１】
本発明は、画像処理装置に関する。さらに詳細には、ユーザを特定した結果を利用して電源をオフすることが可能な画像処理装置に関するものである。
【背景技術】
【０００２】
従来、複数のユーザが使用する状況において、例えば、節電を目的として電源をオフすることが広く行われている。このような場合、例えば、電源ボタン押下による電源オフの指示や、遠隔操作による電源オフの指示が行われている（特許文献１）。
【先行技術文献】
【特許文献】
【０００３】
【特許文献１】特開２００７−３２００５１
【発明の概要】
【発明が解決しようとする課題】
【０００４】
しかしながら、例えば節電を目的として電源をオフする場合だけでなく、ジョブを実行しているユーザにとっては、ジョブの実行中に電源をオフしたい場合があった。例えば、帰宅する際などに、ジョブを実行中であっても電源を早期にオフしたい場合などである。また、従来はどのユーザがジョブを実行中か否かに関わらず電源オフの指示を受け付けていたため、ジョブを実行している際に、他のユーザによって電源をオフされてしまうことがあり、不便であった。
【０００５】
本発明は、上述した問題点を解決するためになされたものであり、ジョブの実行中に電源をオフできることと、ジョブの実行中に他のユーザによって電源がオフされてしまう不便さを低減すること、の両立を図ることが可能な画像処理装置を提供することを目的とする。
【課題を解決するための手段】
【０００６】
この目的を達成するために、第１の発明に係る画像処理装置は、画像の読み取りまたは画像データの出力を実行する実行手段と、電源オフの指示を検知する検知手段と、ユーザを特定する特定手段と、前記実行手段により実行している実行中ジョブ以外の他のジョブがないときに、電源オフを指示したユーザが実行中ジョブのユーザであると前記特定手段が特定した場合に電源オフの条件を満たすと判断する判断手段と、前記判断手段が電源オフの条件を満たすと判断した場合に、前記実行手段に対する電源供給を遮断する電源オフ処理を行い、電源オフの条件を満たさないと判断した場合に、電源オフ処理を行わない、制御手段とを備える。
【０００７】
第１の発明によれば、実行中ジョブのユーザは実行中ジョブ以外の他のジョブがないときは電源をオフすることができると期待される。
【０００８】
また、第２の発明に係る画像処理装置は、前記判断手段は、実行中ジョブと異なるユーザの、前記実行手段によりまだ実行していない後続ジョブがあるときは、電源オフの条件を満たさないと判断する、ことを特徴とする。
【０００９】
第２の発明によれば、実行中ジョブのユーザと異なる後続ジョブのユーザが、ジョブがあるにも関わらず電源オフされてしまう不便さを低減できる。
【００１０】
また、第３の発明に係る画像処理装置は、画像の読み取りまたは画像データの出力を実行する実行手段と、電源オフの指示を検知する検知手段と、ユーザを特定する特定手段と、電源オフを指示したユーザが特定ユーザであると前記特定手段が特定した場合は、電源オフの条件を満たすと判断し、特定ユーザでないと判断した場合は、前記実行手段により実行している実行中ジョブ以外の他のジョブがないときに、電源オフを指示したユーザが実行中ジョブのユーザであると前記特定手段が特定した場合に電源オフの条件を満たすと判断する判断手段と、前記判断手段が電源オフの条件を満たすと判断した場合に、前記実行手段に対する電源供給を遮断する電源オフ処理を行い、電源オフの条件を満たさないと判断した場合に、電源オフ処理を行わない、制御手段とを備える。
【００１１】
第３の発明によれば、電源オフを指示したユーザが、特定ユーザである場合は電源オフすることができ、特定ユーザでない場合は実行中ジョブのユーザが実行中ジョブ以外の他のジョブがないときに電源をオフすることができる。
【００１２】
また、第４の発明に係る画像処理装置は、前記判断手段は、電源オフを指示したユーザが特定ユーザでないと前記特定手段が特定した場合に、実行中ジョブと異なるユーザの、前記実行手段によりまだ実行していない後続ジョブがあるときは、電源オフの条件を満たさないと判断する、ことを特徴とする。
【００１３】
第４の発明によれば、実行中ジョブのユーザと異なる後続ジョブのユーザが、ジョブがあるにも関わらず電源オフされてしまう不便さを低減できる。
【００１４】
また、第５の発明に係る画像処理装置は、ジョブのデータを記憶する不揮発性の記憶手段を備え、前記制御手段は、ジョブのデータを、前記記憶手段に記憶してから電源オフ処理を行う、ことを特徴とする。
【００１５】
第５の発明によれば、電源をオフする際にジョブのデータが消えてしまう不便さを低減できる。
【００１６】
また、第６の発明に係る画像処理装置は、前記判断手段は、前記検知手段が電源オフの指示を検知した際に実行中ジョブがない場合は、電源オフの条件を満たすと判断する、ことを特徴とする。
【００１７】
第６の発明によれば、実行中ジョブがない場合は、ユーザの特定を行わなくても電源をオフすることができる。
【００１８】
また、第７の発明に係る画像処理装置は、前記判断手段は、前記検知手段が電源オフの指示を検知した時間が所定の時間帯でない場合は、電源オフの条件を満たすと判断する、ことを特徴とする。
【００１９】
第７の発明によれば、電源オフの指示が所定時間帯にされなかった場合は、ユーザ特定を行わなくても電源をオフすることができる。
【発明の効果】
【００２０】
本発明によれば、実行中ジョブのユーザが、電源をオフできることと、他のユーザから電源をオフされてしまう不便さを低減すること、の両立を図ることができる画像処理装置が実現される。
【図面の簡単な説明】
【００２１】
【図１】実施の形態にかかるＭＦＰの外観を示す図である。
【図２】ＭＦＰの画像読取部の構成を示す断面図である。
【図３】実施の形態にかかるＭＦＰの電気的構成を示すブロック図である。
【図４】実施の形態にかかるコピー処理の手順を示すフローチャートである。
【図５】第１の実施形態にかかる電源オフ制御処理の手順を示すフローチャートである。
【図６】第２の実施形態にかかる電源オフ制御処理の手順を示すフローチャートである。
【発明を実施するための形態】
【００２２】
以下、本発明にかかる画像処理装置を具体化した実施の形態について、添付図面を参照しつつ詳細に説明する。本実施形態は、スキャン機能、プリント機能、およびＦＡＸ送受信機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００２３】
［ＭＦＰの構成］
本実施形態のＭＦＰ１００は、図１に示すように、用紙に画像を印刷する画像形成部１０（実行手段の一例）と、原稿の画像を読み取る画像読取部２０（実行手段の一例）とを備えている。なお、画像形成部１０の画像形成方式は、電子写真方式であっても、インクジェット方式であってもよい。また、画像形成部１０は、カラー画像及びモノクロ画像の形成が可能であってもよいし、モノクロ画像のみの形成が可能であってもよい。さらに、画像読取部２０は、カラー画像及びモノクロ画像の読み取りが可能であってもよいし、モノクロ画像のみの読み取りが可能であってもよい。
【００２４】
ＭＦＰ１００には、前面側に、液晶ディスプレイからなる表示部４１、各種のボタン（例えば、上下左右キー，決定キー，テンキーの各ボタン）によって構成されるボタン群４２や電源キー４３等を備えた操作パネル４０が設けられている。ＭＦＰ１００では、この表示部４１やボタン群４２により、動作状況の表示やユーザによる入力が可能になっている。
【００２５】
また、操作パネル４０には、記憶媒体を検出し、その記憶媒体に対してデータの取得及び書き込みを行うことが可能なＲ／Ｗ装置４４を備えている（特定手段の一例）。なお、本発明によれば、特定手段は少なくとも記憶媒体が記憶しているデータを取得できればいいので、書き込む機能は備えていなくてもよい。また、操作パネル４０がＲ／Ｗ装置４４を備えているとしたが、Ｒ／Ｗ装置４４はＭＦＰ１００とは別に備えていてもよい。
【００２６】
［画像読取部の構成］
画像読取部２０は、図２に示すように、原稿（例えば図２中の原稿９０）の画像の読み取りを行うスキャナ部２１と、原稿の自動搬送を行うＡＤＦ（Ａｕｔｏ  Ｄｏｃｕｍｅｎｔ  Ｆｅｅｄｅｒ：自動原稿供給装置）２２とを備えている。
【００２７】
スキャナ部２１は、その上面に位置する透明なプラテンガラス２３、２４と、その内部に位置するイメージセンサ２５とを備えている。イメージセンサ２５は、ＡＤＦ２２によって原稿が自動搬送される際には、プラテンガラス２３下に固定され、原稿の画像を読み取る。また、イメージセンサ２５は、原稿がプラテンガラス２４上に載置される際には、副走査方向（図２の矢印Ａ方向）に移動して、原稿の画像を読み取る。
【００２８】
ＡＤＦ２２は、読み取り前の原稿を載置する原稿トレイ２２１と、読み取り後の原稿を載置する排出トレイ２２２とを備えている。ＡＤＦ２２は、原稿トレイ２２１に載置された原稿を１枚ずつ取り出し、搬送路２２３を介してプラテンガラス２３に対向する位置に搬送する。そして、イメージセンサ２５が主走査方向に１ラインずつ原稿の画像を読み取る。その後、その原稿を排出トレイ２２２上に排出する。
【００２９】
［ＭＦＰの電気的構成］
続いて、ＭＦＰ１００の電気的構成について説明する。ＭＦＰ１００は、図３に示すように、ＣＰＵ３１（検知手段，特定手段，判断手段の一例）と、ＲＯＭ３２と、ＲＡＭ３３と、ＮＶＲＡＭ（Ｎｏｎ  Ｖｏｌａｔｉｌｅ  ＲＡＭ）３４（記憶手段の一例）とを備えた制御部３０を備えている。また、制御部３０は、画像形成部１０と、画像読取部２０と、操作パネル４０と、Ｒ／Ｗ装置４４と、ネットワークインターフェース３７とに、電気的に接続されている。
【００３０】
ＲＯＭ３２には、ＭＦＰ１００を制御するための制御プログラムであるファームウェアや各種設定、初期値等が記憶されている。ＲＡＭ３３及びＮＶＲＡＭ３４は、各種制御プログラムが読み出される作業領域として、あるいは読み取った画像データを一時的に記憶する記憶領域として利用される。
【００３１】
ＣＰＵ３１は、ＲＯＭ３２から読み出した制御プログラムや各種センサから送られる信号に従って、その処理結果をＲＡＭ３３またはＮＶＲＡＭ３４に記憶させながら、ＭＦＰ１００の各構成要素を制御する。
【００３２】
ネットワークインターフェース３７は、他の装置との通信を可能にするインターフェースである。ＭＦＰ１００は、ネットワークインターフェース３７を介して他の装置から送信される印刷データを受信したり、他の装置へ読み取った画像データを送信したりする。
【００３３】
［ＭＦＰの制御］
続いて、ＭＦＰ１００の制御について説明する。画像データを出力するコピーモードを有する。このコピーモードは、読み取った原稿の画像データを出力する場合に好適である。
【００３４】
［コピー処理］
［第１の実施形態］
以下、第１の実施形態に関するコピー処理について、図４のフローチャートを参照しつつ説明する。
【００３５】
第１の実施形態のコピー処理は、操作パネル４０の操作を介してコピー処理の実行指示が入力されると、コピー処理の実行が開始される。なお、コピー処理の実行中は、後述する図５の電源制御処理も実行されている。
【００３６】
まず、図４を参照しつつコピー処理について説明する。
【００３７】
Ｓ１００では、ジョブのユーザの特定を行う。ユーザの特定は、例えば、ユーザが接近させたＩＤカードに添付された記憶媒体のデータを、操作パネル４０のＲ／Ｗ装置４４（特定手段の一例）が取得することにより行う（特定手段の一例）。また、ＰＩＮ（Ｐｅｒｓｏｎａｌ  Ｉｄｅｎｔｉｆｉｃａｔｉｏｎ  Ｎｕｍｂｅｒ）コード、または、ＰＩＮコードとさらにパスワードを、操作パネル４０を介してユーザに入力させ、ＣＰＵ３１がユーザを特定してもよい（特定手段の一例）。
【００３８】
なお、Ｓ１００にてユーザを特定した結果をＲＡＭ３３またはＮＶＲＡＭ３４に記憶しておくと望ましい。
【００３９】
続くＳ１０１では、画像読取部２０が、ユーザによってセットされている原稿の画像をＳ１０１にて読み取る（実行手段の一例）。なお、原稿はＡＤＦ２２にセットされていてもよいし、プラテンガラス２４にセットされていてもよい。
【００４０】
Ｓ１０１にて読み取った原稿の画像データは、ＣＰＵ３１がＳ１０２にてＲＡＭ３３またはＮＶＲＡＭ３４に記憶する。
【００４１】
そして、Ｓ１０３にて読み取った画像データに基づいて画像形成部１０が印刷を行い、Ｓ１０４に移行する。なお、ここではコピー処理の出力として印刷について説明したが、出力の形態は印刷に限らず、例えば、ＰＣなどの外部装置に画像データを送信してもよい。
【００４２】
Ｓ１０４ではＣＰＵ３１が全ての原稿が読み取り済みであるかを判定する。全ての原稿が読み取り済みでない場合は（Ｓ１０４：Ｎｏ）、再びＳ１０１に移行する。全ての原稿が読み取り済みである場合は（Ｓ１０４：Ｙｅｓ）、Ｓ１０５に移行する。
【００４３】
Ｓ１０５では、全ての画像データが出力済みであるかをＣＰＵ３１が判定する。全ての画像データが出力済みである場合は（Ｓ１０５：Ｙｅｓ）、コピー処理を終了する。全ての画像データが出力済みでない場合は（Ｓ１０５：Ｎｏ）、再びＳ１０３に移行する。
【００４４】
続いて、電源オフ制御処理について図５を参照しつつ説明する。電源オフ制御処理は、ＭＦＰ１００に対する電源供給が行われると、ＣＰＵ３１によって実行が開始される。
【００４５】
電源オフ制御処理では、まずＳ１９０にて、例えば、ユーザが操作パネル４０の電源キー４３を押下することにより、電源オフが指示されたかをＣＰＵ３１が検知する（検知手段の一例）。
【００４６】
電源オフの指示を検知しない場合は（Ｓ１９０：Ｎｏ）、再びＳ１９０に移行する。電源オフの指示を検知した場合は（Ｓ１９０：Ｙｅｓ）、Ｓ２００に移行する。
【００４７】
Ｓ２００では、電源オフの指示を検知した際にＭＦＰ１００が実行しているジョブがあるか否かを判断する。電源オフの指示を検知した際にジョブがある場合は（Ｓ２００：Ｙｅｓ）、Ｓ２０１に移行する。Ｓ２０１では、電源オフを指示したユーザの特定を行う。ここでのユーザ特定はＳ１００と同様に行う。
【００４８】
なお、Ｓ１９０にて、例えばＰＣなどの外部装置から遠隔操作で電源オフが指示された際には、Ｓ２０１ではＰＣを介してユーザ特定を行う。具体的には、まずユーザがＰＣに接続したＲ／Ｗ装置にＩＤカードに添付された記憶媒体からデータを取得させたり、ＰＣからＰＩＮコードを入力させたりする。ＣＰＵ３１はそれらＰＣが取得したデータを、ネットワークインターフェース３７を介して受信し、ユーザを特定する。
【００４９】
続いてＳ２０２にて、実行中ジョブと後続ジョブのユーザを特定する。
【００５０】
ここでいう実行中ジョブとは、図４のコピー処理を実行している、つまり、読み取りまたは出力を行っているジョブのことであり、そのジョブに後続するジョブについては実行中ジョブに該当しない。実行中ジョブのユーザについては、Ｓ１００にてユーザを特定した結果がＲＡＭ３３またはＮＶＲＡＭ３４に記憶されている。
【００５１】
また、後続ジョブとは、読み取りまたは出力をまだ行っていない、ＭＦＰ１００が実行を指示されているジョブであり、例えば、ＦＡＸ受信や、ＰＣなどの外部装置からの画像データを含む印刷指示などである。後続ジョブのユーザについては、それぞれのジョブを指示する際に特定が行われている。
【００５２】
これらジョブのユーザの特定方法としては、Ｓ１００で既述した方法に加えて他の方法も考えられる。
【００５３】
例えば、ジョブがＰＣからの印刷指示であった場合は、ジョブに付加されている情報からユーザを特定する。この場合、例えば、ユーザＡのＰＣから画像データを含む印刷指示が送信されてきたときは、画像データに付加されている情報からＣＰＵ３１がユーザＡのジョブであることを特定する。また、ジョブがＦＡＸ受信であった場合は、ＦＡＸを送信してきた電話番号をもとにデータベースを参照し、ＣＰＵ３１がユーザＢのジョブであることを特定する。なお、データベースはＭＦＰ１００のＮＶＲＡＭ３４にあることが好ましいが、ＰＣなどの外部装置にあってもよい。
【００５４】
Ｓ１００の処理と同様に、ＭＦＰ１００は後続ジョブの実行が指示された際に、ユーザを特定した結果をＲＡＭ３３またはＮＶＲＡＭ３４に記憶している。
【００５５】
こうして記憶されているユーザの特定結果をＳ２０２にて参照し、Ｓ２０３に移行する。
【００５６】
Ｓ２０３では、電源オフの条件を満たすか否かをＣＰＵ３１が判断する（判断手段の一例）。電源オフの条件とは実行中ジョブのユーザと異なるユーザの後続ジョブがあるか否か、電源オフを指示したユーザが実行中ジョブのユーザであるか否か、に基づいて判断する。これについて説明する。
【００５７】
まず、Ｓ２０２の参照結果に基づいて、実行中ジョブのユーザと異なるユーザの後続ジョブがあるかを判断する。例えば、ユーザＡがジョブを実行中に、後続ジョブのユーザがＡ，Ｂである場合は、実行中ジョブのユーザと異なる後続ジョブがあると判断する。一方、ユーザＡがジョブを実行中に後続ジョブのユーザがＡのみであった場合、また、後続ジョブがない場合は、実行中ジョブのユーザと異なるユーザの後続ジョブがないと判断する。
【００５８】
そして、実行中ジョブのユーザと異なるユーザの後続ジョブがある場合は、ＣＰＵ３１は電源オフの条件を満たさないと判断する。
【００５９】
実行中ジョブのユーザと異なるユーザの後続ジョブがない場合は、次に、電源オフを指示したユーザが実行中ジョブのユーザであるかを判断する。Ｓ２０１，Ｓ２０２の処理結果に基づき、電源オフを指示したユーザが実行中ジョブのユーザでない場合は、ＣＰＵ３１は電源オフの条件を満たさないと判断する。
【００６０】
一方、電源オフを指示したユーザが実行中ジョブのユーザである場合は、ＣＰＵ３１は電源オフの条件を満たすと判断する。
【００６１】
以上により、電源オフの条件を満たすと判断した場合は（Ｓ２０３：Ｙｅｓ）、Ｓ２０４に移行する。
【００６２】
Ｓ２０４では、ジョブのデータを不揮発性のＮＶＲＡＭ３４に記憶する。ジョブの画像データがＲＡＭ３３に記憶されていれば、ＮＶＲＡＭ３４にデータを移す。なお、ここでいうジョブとは、実行中ジョブであってもよいし、後続ジョブであってもよいし、その両方であってもよい。また、ここでは不揮発性のＮＶＲＡＭ３４に記憶したが、続くＳ２０５で行われる電源供給の遮断が行われてもデータを保存できるところであれば他の記憶部であってもよい。
【００６３】
続くＳ２０５では、ＣＰＵ３１（制御手段の一例）が電源供給ユニット（不図示）に電源をオフする指示を出す電源オフ処理を行うことにより、ＭＦＰ１００の少なくとも一部に対する電源をオフし、電源オフ制御処理を終了する。これにより、図４のコピー処理はその処理が途中であっても終了する。
【００６４】
なお、ここでいう電源オフとは、具体的にはＭＦＰ１００の少なくとも画像読取部２０，画像形成部１０のどちらか、またはその両方に対する電源供給を遮断することを指す。例えば、制御部３０，操作パネル４０には電源を供給しておいても遮断してもよい。
【００６５】
一方、Ｓ２０３にて電源オフの条件を満たさないと判断した場合は（Ｓ２０３：Ｎｏ）、Ｓ１９０に再び移行する。なお、ここでは、例えば表示部４１に「電源オフを受け付けませんでした。」などと表示して、電源オフの指示を受け付けなかったことをユーザに報知すると望ましい。なお、報知方法は表示に限らず、アナウンスやＰＣなどの外部装置に表示してもよい。
【００６６】
一方、Ｓ２００において、電源オフの指示を検知した際にジョブがない場合は（Ｓ２００：Ｎｏ）、ＣＰＵ３１は電源オフの条件を満たすと判断してＳ２０５に移行して電源オフ処理を行う。
【００６７】
これにより、ジョブがないときは、電源オフを指示したユーザが誰であっても電源をオフすることができる。つまり、ジョブがないときは、ジョブを実行するユーザが他のユーザから電源をオフされてジョブが実行できなくなってしまう不具合が発生しないため、誰でも電源オフできるようにすることで、ユーザを特定するための操作や処理が不要になり、利便性が向上する。
【００６８】
以上記載したように、第１の実施形態によれば、実行中ジョブのユーザと異なるユーザの後続ジョブがあるか否か、電源オフを指示したユーザが実行中ジョブのユーザか否かによって電源オフの条件を満たすか否か判断している。
【００６９】
つまり、実行中ジョブのユーザは、異なるユーザの後続ジョブがない場合は、自身が電源をオフしたいときに電源をオフすることができ、異なるユーザの後続ジョブがある場合には電源オフできない。これにより、実行中ジョブだけでなく後続ジョブのユーザも他のユーザから電源をオフされてジョブが実行できなくなってしまう不便さが低減されるため、利便性が向上する。
【００７０】
なお、上記第１の実施形態では、実行中ジョブを、コピー処理を実行しているジョブとして記載したが、これは例えばＰＣなどの外部装置からの印刷指示であったり、他のＭＦＰからのＦＡＸ受信であったりしてもよい。
【００７１】
また、上記第１の実施形態では、操作パネル４０の電源キー４３が押下されることにより、電源オフが指示されたと検知し（Ｓ１９０）、実行中ジョブがある場合に（Ｓ２００：Ｙｅｓ）電源オフを指示したユーザの特定を行った（Ｓ２０１）。しかし、例えばジョブの実行中に、Ｒ／Ｗ装置４４がＩＤカードに添付された記憶媒体からデータを取得できたことを電源オフの指示として検知してもよい。
【００７２】
また、上記第１の実施形態では、電源オフの指示があった際に、実行中ジョブのユーザと異なるユーザの後続ジョブがある場合は、電源オフの条件を満たさないと判断した（Ｓ２０３）。しかし、電源オフを指示したユーザが実行中ジョブのユーザである場合は、実行中ジョブのユーザと異なるユーザの後続ジョブがある場合であっても、電源オフの条件を満たすと判断してもよい。
【００７３】
なお、この場合は、後続ジョブのデータを不揮発性のＮＶＲＡＭ３４等に記憶すると望ましい。これにより、実行中ジョブのユーザが電源をオフしたい意図を反映させつつ、後続ジョブのユーザがジョブのデータが消えてしまう不便さも低減できる。
【００７４】
また、上記第１の実施形態では、電源オフの条件を満たすと判断された場合は（Ｓ２０３：Ｙｅｓ）、Ｓ２０４にてジョブのデータを記憶してから電源オフ処理を行った（Ｓ２０５）。しかし、この処理は行っても行わなくてもよい。この場合、電源オフ処理を行う際には（Ｓ２０５）、ジョブはキャンセルされて実行途中または実行開始前に終了し、データも削除される。また、実行中ジョブについては、完了してから電源オフ処理を行うようにしてもよい。
【００７５】
なお、ジョブの完了とは、ジョブが例えばコピー処理であった場合は、読み取りと印刷を全て終えた状態であり、例えばＰＣなどの外部装置からの印刷指示であった場合は、印刷を全て終えた状態であり、つまりそのジョブにおける全ての処理を終えた状態のことである。
【００７６】
［第２の実施形態］
以下、第２の実施形態に関するコピー処理について、図６のフローチャートを参照しつつ説明する。
【００７７】
第２の実施形態においては、電源オフの指示を検知した際に、所定時間帯でないこと、また、電源オフを指示したユーザが特定ユーザであることをさらに電源オフの条件とする。この点、第１の実施形態とは異なる。
【００７８】
なお、第１の実施形態と同じ処理については、第１の実施形態と同じ符号を付し、説明を省略する。第２の実施形態では、Ｓ１９０，Ｓ２００からＳ２０５の処理は第１の実施形態と同様に行う。
【００７９】
Ｓ１９０にて電源オフを検知した際に、実行中ジョブがある場合は（Ｓ２００：Ｙｅｓ）、Ｓ３００に移行する。Ｓ３００では、電源オフの指示が所定の時間帯にされたか否かを判断する。電源オフの指示が所定の時間帯でない場合は（Ｓ３００：Ｎｏ）、ＣＰＵ３１は電源オフの条件を満たすと判断して、Ｓ２０４に移行する。電源オフの指示が所定の時間帯である場合は（Ｓ３００：Ｙｅｓ）、Ｓ２０１に移行する。例えば、予め所定の時間帯が９時から１８時と設定されているとき、２０時に電源オフが指示された場合は、電源オフの条件を満たすと判断する。
【００８０】
Ｓ２０１で、電源オフを指示したユーザを特定した後はＳ３０１に移行する。Ｓ３０１では、電源オフを指示したユーザが特定ユーザであるか否かを判断する。特定ユーザとは、例えば管理者や、サービスマンといったユーザである。
【００８１】
特定ユーザの特定方法として、例えば、電源オフを指示したユーザがＡであると特定された場合に、データベースにユーザＡが管理者であると登録されている場合は、ユーザＡを特定ユーザであると特定する。データベースはＮＶＲＡＭ３４にあることが好ましいが、ＰＣなどの外部装置にあってもよい。
【００８２】
以上のことから、電源オフを指示したユーザが特定ユーザである場合は（Ｓ３０１：Ｙｅｓ）、ＣＰＵ３１は電源オフの条件を満たすと判断してＳ２０４に移行し、電源オフを指示したユーザが特定ユーザでない場合は（Ｓ３０１：Ｎｏ）、Ｓ２０２に移行する。
【００８３】
以上記載したように、上記第２の実施形態によれば、電源オフした時刻が所定の時間帯か否かで電源オフの条件を満たすか判断するため、例えば多くのユーザがＭＦＰ１００を使用するような時間帯を予め所定の時間帯にしていた場合に、ユーザがあまり使わないような時間帯では、ユーザを特定するための操作や処理を行うことなく誰でも電源をオフすることができ、利便性が向上する。
【００８４】
また上記第２の実施形態では、電源オフを指示したユーザが特定ユーザである場合は、電源オフを指示したユーザ実行中ジョブのユーザでない場合、また、実行中ジョブと異なるユーザの後続ジョブがあっても、電源オフの条件を満たすと判断した。そのため、管理者等の特定ユーザが電源をオフしたい意図をより反映させることができる可能性が高くなり、利便性が向上する。
【００８５】
さらに、Ｓ２０４にてジョブのデータが記憶されるので、実行中ジョブまたは後続ジョブのユーザの、ジョブのデータが消えてしまう不便さも低減できる。なお、実行が開始されている実行中ジョブについては、完了してから電源オフ処理を行うようにしてもよい。
【００８６】
なお、上記第２の実施形態ではＳ３００とＳ３０１の処理を両方行ったが、どちらか一方を行うようにしてもよい。Ｓ３００の処理を行わないときは、Ｓ１９０にて電源オフの指示を検知した際に、実行中ジョブがある場合は（Ｓ２００：Ｙｅｓ）、Ｓ２０１に移行する。Ｓ３０１の処理を行わないときは、Ｓ２０１の後にＳ２０２に移行する。
【００８７】
また、上記第２の実施形態では、Ｓ３０１にて所定の時間帯でないと判断された場合に（Ｓ３０１：Ｎｏ）、Ｓ２０４にてジョブのデータを記憶してから電源オフ処理を行った（Ｓ２０５）。しかし、ジョブのデータを記憶せずにそのままＳ２０５に移行してもよい。この場合、ジョブはキャンセルしてもよいし、実行中ジョブのみ完了してから電源オフ処理を行うようにしてもよい。
【符号の説明】
【００８８】
１０    画像形成部
２０    画像読取部
３１    ＣＰＵ
３４    ＮＶＲＡＭ
４０    操作パネル
４３    電源キー
４４    Ｒ／Ｗ装置
１００  ＭＦＰ
【図１】
0005874439.tif 000002
【図２】
0005874439.tif 000003
【図３】
0005874439.tif 000004
【図４】
0005874439.tif 000005
【図５】
0005874439.tif 000006
【図６】
0005874439.tif 000007